(57)【要約】  外部から視認されにくいように内部空間にゲッターが配置されたガラスパネルユニット及びこれを備える建具を提供する。ガラスパネルユニットは、第一ガラスパネル（１）、第二ガラスパネル（２）、枠状のシール部（４）及びゲッター（６）を備える。シール部（４）は、第一ガラスパネル（１）と第二ガラスパネル（２）の互いの周縁部を気密に接合する。第一ガラスパネル（１）と第二ガラスパネル（２）の間には、減圧状態の内部空間（８１）が形成される。ゲッター（６）は、内部空間（８１）に配置されている。ゲッター（６）は、建具枠によって覆われるように、シール部（４）に沿って、ガラスパネルユニットの周縁から所定距離（Ｄ）内の枠状領域（８１０）に配置される。
2017169677.tif 000002
【特許請求の範囲】
【請求項１】
第一ガラスパネルと、
前記第一ガラスパネルに対向して位置する第二ガラスパネルと、
前記第一ガラスパネルと前記第二ガラスパネルの間に減圧状態で密閉された内部空間を形成するように、前記第一ガラスパネルと前記第二ガラスパネルの互いの周縁部を気密に接合する枠状のシール部と、
前記内部空間に配置される気体吸着用のゲッターと、を備えるガラスパネルユニットであって、
前記ゲッターは、
前記ガラスパネルユニットに建具枠が装着されたときに該建具枠によって覆われるように、前記内部空間のうち前記シール部に沿った枠状領域に配置され、
前記枠状領域は、前記ガラスパネルユニットの周縁からの距離が所定距離以内の領域である
ことを特徴とするガラスパネルユニット。
【請求項２】
前記ゲッターは、前記枠状領域の全周に亘って配置されている
ことを特徴とする請求項１に記載のガラスパネルユニット。
【請求項３】
前記枠状領域は、
前記枠状領域のうち所定方向の一側の部分を構成する第一領域と、前記枠状領域のうち前記所定方向の他側の部分を構成する第二領域とを含み、
前記ゲッターは、前記第一領域に配置されている
ことを特徴とする請求項１に記載のガラスパネルユニット。
【請求項４】
前記第一ガラスパネルと前記第二ガラスパネルの一方に対して、枠状の第二シール部を介して気密に接合される第三ガラスパネルと、
前記第二シール部によって囲まれ、乾燥ガスが封入される第二の内部空間と、をさらに備える
ことを特徴とする請求項１〜３のいずれか一項に記載のガラスパネルユニット。
【請求項５】
請求項１〜４のいずれか一項に記載のガラスパネルユニットと、
前記ガラスパネルユニットの周縁部に嵌め込まれた建具枠と、を備え、
前記建具枠によって、前記ゲッターが覆われている
ことを特徴とする建具。
【請求項６】
請求項３に記載のガラスパネルユニットと、
前記ガラスパネルユニットの周縁部に嵌め込まれた建具枠と、を備え、
施工された状態において、前記所定方向は上下方向であり、前記第一領域は、前記第二領域の下方に位置し、
前記建具枠によって、前記第一領域に位置する前記ゲッターが覆われている
ことを特徴とする建具。
【請求項７】
前記ゲッターは、少なくとも直線部で構成され、
前記直線部は、施工された状態において前記ガラスパネルユニットの下端縁に沿って位置する直線状のゲッターである
ことを特徴とする請求項６に記載の建具。
【請求項８】
前記ガラスパネルユニットは、
前記第一ガラスパネルと前記第二ガラスパネルの一方に対して、枠状の第二シール部を介して気密に接合される第三ガラスパネルと、
前記第二シール部によって囲まれ、乾燥ガスが封入される第二の内部空間と、をさらに備える
ことを特徴とする請求項６または７に記載の建具。
【発明の詳細な説明】
【技術分野】
【０００１】
本発明は、ガラスパネルユニット及びこれを備える建具に関し、詳しくは、第一ガラスパネルと第二ガラスパネルの間に減圧された内部空間が形成されたガラスパネルユニット、及びこれを備える建具に関する。
【背景技術】
【０００２】
互いに対向して位置する一対のガラスパネル間の内部空間が減圧され、内部空間が減圧状態のまま封止されることで、断熱性のガラスパネルユニットが得られる（特許文献１等参照）。【０００３】
上記のガラスパネルユニットにおいては、長期間にわたって内部空間の真空度を保つために、気体吸着用のゲッターを備えることが好ましい。
【先行技術文献】
【特許文献】
【０００４】
【特許文献１】日本国特許出願公開番号２００４−１４９３４３
【発明の概要】
【０００５】
本発明は、外部から視認されにくいように内部空間にゲッターが配置されたガラスパネルユニット及びこれを備える建具を提供することを、目的とする。
【０００６】
本発明の一様態に係るガラスパネルユニットは、第一ガラスパネルと、第二ガラスパネルと、枠状のシール部と、気体吸着用のゲッターとを備える。
【０００７】
前記第二ガラスパネルは、前記第一ガラスパネルに対向して位置する。前記シール部は、前記第一ガラスパネルと前記第二ガラスパネルの間に減圧状態で密閉された内部空間を形成するように、前記第一ガラスパネルと前記第二ガラスパネルの互いの周縁部を気密に接合する。前記ゲッターは、前記内部空間に配置される。
【０００８】
前記ゲッターは、前記ガラスパネルユニットに建具枠が装着されたときに該建具枠によって覆われるように、前記内部空間のうち前記シール部に沿った枠状領域に配置され、前記枠状領域は、前記ガラスパネルユニットの周縁からの距離が所定距離以内の領域である。
【０００９】
本発明の一様態に係る建具は、前記ガラスパネルユニットと、前記ガラスパネルユニットの周縁部に嵌め込まれた建具枠とを備える。前記建具枠によって、前記ゲッターが覆われている。
【図面の簡単な説明】
【００１０】
【図１】図１は、一実施形態のガラスパネルユニットの平面図である。
【図２】図２は、図１のＡ−Ａ線断面図である。
【図３】図３は、同上のガラスパネルユニットを備える建具の平面図である。
【図４】図４は、第一変形例のガラスパネルユニットの平面図である。
【図５】図５は、同上のガラスパネルユニットを備える建具の平面図である。
【図６】図６は、第二変形例のガラスパネルユニットの平面図である。
【図７】図７は、同上のガラスパネルユニットを備える建具の平面図である。
【図８】図８は、第三変形例のガラスパネルユニットの平面図である。
【図９】図９は、図８のＢ−Ｂ線断面図である。
【図１０】図１０は、同上のガラスパネルユニットを備える建具の平面図である。
【発明を実施するための形態】
【００１１】
一実施形態のガラスパネルユニットについて、添付図面に基づいて説明する。添付図面においては、一実施形態のガラスパネルユニットの各構成が模式的に示されている。
【００１２】
図１、図２に示すように、一実施形態のガラスパネルユニットは、第一ガラスパネル１、第二ガラスパネル２、シール部４、複数（多数）のスペーサー５及びゲッター６を備える。
【００１３】
第一ガラスパネル１と第二ガラスパネル２は、互いに対向して位置する。第一ガラスパネル１と第二ガラスパネル２は互いに平行であり、第一ガラスパネル１と第二ガラスパネル２の間に、シール部４、複数のスペーサー５及びゲッター６が位置する。第一ガラスパネル１と第二ガラスパネル２の間に、枠状のシール部４に囲まれた内部空間８１が形成される。複数のスペーサー５及びゲッター６は、内部空間８１に位置する。
【００１４】
第一ガラスパネル１と第二ガラスパネル２には、ソーダライムガラス、高歪点ガラス、化学強化ガラス、無アルカリガラス、石英ガラス、ネオセラム、物理強化ガラス等の各種ガラスパネルを用いることができる。
【００１５】
シール部４は、ディスペンサー等を用いて、第二ガラスパネル２の対向面２２にガラスフリットを枠状に塗布した後に、このガラスフリットを、第一ガラスパネル１と第二ガラスパネル２の互いの対向面１２，２２間に挟み込まれた状態で加熱することによって、形成される。第一ガラスパネル１と第二ガラスパネル２の互いの周縁部は、シール部４を介して気密に接合される。ガラスフリットは、第一ガラスパネル１の対向面１２に塗布することも可能であり、また、第一ガラスパネル１と第二ガラスパネル２の互いの対向面１２，２２に塗布することも可能である。
【００１６】
複数のスペーサー５は、互いに距離をあけて分散配置される。複数のスペーサー５の各々は、第一ガラスパネル１の対向面１２と、第二ガラスパネル２の対向面２２の、両者に当たって位置する（図２参照）。第一ガラスパネル１の対向面１２と第二ガラスパネル２の対向面２２の少なくとも一方に、赤外線反射膜等がコーティングされてもよい。
【００１７】
複数のスペーサー５は、枠状のシール部４に囲まれて位置する。複数のスペーサー５は、第一ガラスパネル１と第二ガラスパネル２の間の距離を、所定距離に保持させる。複数のスペーサー５は、それぞれ透明または半透明であることが好ましい。複数のスペーサー５の材料、寸法形状、配置パターン等は、適宜に設定され得る。
【００１８】
一実施形態のガラスパネルユニットでは、第一ガラスパネル１と第二ガラスパネル２のうち、第二ガラスパネル２の側に排気孔７が形成されている（図２参照）。排気孔７は、封止材７４よって気密に封止されている。排気孔７を封止する構造はこれに限定されず、他の構造で排気孔７が封止されてもよい。排気孔７は第一ガラスパネル１に形成されてもよいし、第一ガラスパネル１と第二ガラスパネル２の両側に形成されてもよい。
【００１９】
ゲッター６は、気体分子を吸着するように構成された部材であり、複数のスペーサー５のそれぞれから、距離をあけて位置する。ゲッター６は、ディスペンサー等を用いて、第二ガラスパネル２の対向面２２に塗布されている。ゲッター６は、第一ガラスパネル１の対向面１２に配置されてもよいし、第一ガラスパネル１と第二ガラスパネル２の両方の対向面１２，２２に配置されてもよい。
【００２０】
ゲッター６は、内部空間８１のうち、矩形枠状のシール部４に沿った枠状領域８１０に配置される。枠状領域８１０は、ガラスパネルユニットの周縁からの距離が所定距離Ｄ以内の領域である。図１においては、枠状領域８１０と、枠状領域８１０よりも内側の領域を、二点鎖線で区分している。
【００２１】
ゲッター６が、矩形枠状の枠状領域８１０に位置することで、ガラスパネルユニットの周縁部に後述の建具枠９が装着されたときに、ゲッター６が建具枠９に覆われて正面側及び背面側から視認されにくくなる（図３参照）。
【００２２】
所定距離Ｄは、一実施形態では１０ｃｍに設定されているが、所定距離Ｄの具体的な距離はこれに限定されず、たとえば所定距離Ｄが８ｃｍに設定されることも有り得るし、１２ｃｍに設定されることも有り得る。枠状領域８１０の全周に亘ってゲッター６が位置し、枠状領域８１０よりも内側の領域に、複数のスペーサー５と排気孔７が位置する。シール部４とゲッター６の間には、１ｃｍ程度の僅かな隙間が全周に亘って介在しているが、シール部４とゲッター６が全周に亘って接触することも可能であり、シール部４とゲッター６の周方向の一部同士が接触することも可能である。
【００２３】
第一ガラスパネル１と第二ガラスパネル２の間において、枠状のシール部４に囲まれる内部空間８１は、内部空間８１に連通する排気孔７が封止されることによって、外部から密閉されている。密閉された内部空間８１は、たとえば０．１Ｐａ以下の真空度に至るまで減圧された断熱空間である。
【００２４】
一実施形態のガラスパネルユニットでは、第一ガラスパネル１と第二ガラスパネル２の間に、減圧状態の内部空間８１が介在することで、高い断熱性を有する。
【００２５】
また、一実施形態のガラスパネルユニットでは、減圧された内部空間８１に、内部空間８１の周縁に沿って形成された枠状のゲッター６が位置するので、内部空間８１の真空度が長期間にわたって保たれる。
【００２６】
次に、一実施形態のガラスパネルユニットを備える建具（以下「一実施形態の建具」という。）について、説明する。
【００２７】
図３には、一実施形態の建具が示されている。この建具は、一実施形態のガラスパネルユニットに、建具枠９が嵌め込まれた構造である。
【００２８】
一例として建具枠９は窓枠であり、図３に示す建具は、一実施形態のガラスパネルユニットを備える窓建具であるが、一実施形態の建具は窓建具に限定されず、玄関ドア、室内ドア等の、他の建具であってもよい。
【００２９】
一実施形態のガラスパネルユニットにおいては、上述したように、ガラスパネルユニットの内部空間８１のうち、シール部４に沿った枠状領域８１０の全周に亘って、ゲッター６が配置されている。一実施形態の建具においては、幅が１０ｃｍ程度である建具枠９がガラスパネルユニットの周縁部に装着された状態において、枠状領域８１０の全体が建具枠９で覆われる。そのため、シール部４とこれの内側に位置するゲッター６が、ともに建具枠９に覆われて視認されにくくなっている。
【００３０】
次に、一実施形態の第一変形例のガラスパネルユニットと、これを備える建具について、図４及び図５に基づいて説明する。
【００３１】
なお、第一変形例のガラスパネルユニット及び建具の構成のうち、図１〜図３に基づいて説明した構成と同様の構成については、同一符号を付して詳しい説明を省略する。
【００３２】
第一変形例のガラスパネルユニットにおいては、図４等に示すように、ゲッター６が枠状領域８１０の全周に亘って配置されるのではなく、枠状領域８１０のなかでも第一領域８１１においてのみ、配置されている。
【００３３】
第一領域８１１は、枠状領域８１０のうち所定方向（上下方向）の一側の部分を構成する領域である。枠状領域８１０のうち第一領域８１１を除いた領域が、第二領域８１２である。第二領域８１２は、枠状領域８１０のうち所定方向の他側の部分を構成する。第一領域８１１と第二領域８１２は、図示の仮想的な境界線Ｌ１を境にして区分される。
【００３４】
第一領域８１１は、第一変形例のガラスパネルユニットに建具枠９を装着して建具を構成したとき（図５参照）、建具が施工された状態において下側に位置する領域である。建具が施工された状態において、第一領域８１１は、枠状領域８１０の下側半部を構成する。
【００３５】
第二領域８１２は、第一変形例のガラスパネルユニットに建具枠９を装着して建具を構成したとき、建具が施工された状態において上側に位置する領域である。建具が施工された状態において、第二領域８１２は、枠状領域８１０の上側半部を構成する。建具が施工された状態において、第一領域８１１は第二領域８１２の下方に位置する。
【００３６】
ゲッター６は、ガラスパネルユニットの一辺（建具が施工された状態での下端縁）に沿う直線部６１と、ガラスパネルユニットの該一辺に隣接する辺（左端縁）に沿う直線部６２と、ガラスパネルユニットの該一辺に隣接する別の辺（右端縁）に沿う直線部６３を含む。
【００３７】
以下、これらの直線部６１，６２，６３を互いに区別するため、直線部６１を第一直線部６１と称し、直線部６２を第二直線部６２と称し、直線部６３を第三直線部６３と称する。
【００３８】
第二直線部６２は、第一直線部６１の一端から、第一直線部６１と直交する方向（上方）に伸びている。第三直線部６３は、第一直線部６１の他端から、第一直線部６１と直交する方向（上方）に伸びている。ゲッター６は、全体として略Ｕ字状である。
【００３９】
なお、ゲッター６の形状はこれに限定されず、たとえば、直線部６１と直線部６２が互いに不連続でもよいし、直線部６１と直線部６３が互いに不連続でもよい。
【００４０】
第一変形例の建具においても、ガラスパネルユニットの周縁から所定距離Ｄ内にシール部４とゲッター６が配置されており、シール部４とこれの内側に位置するゲッター６が、ともに建具枠９に覆われて視認されにくくなっている。
【００４１】
加えて、第一変形例の建具においては、施工された状態で下側に位置する第一領域８１１にゲッター６が配置されているので、施工後にゲッター６の一部分が脱落したときでも、その脱落部分が建具枠９に隠されて視認されにくいという利点がある。
【００４２】
次に、一実施形態の第二変形例のガラスパネルユニットと、これを備える建具について、図６及び図７に基づいて説明する。
【００４３】
なお、第二変形例のガラスパネルユニット及び建具の構成のうち、図１〜図５に基づいて説明した構成と同様の構成については、同一符号を付して詳しい説明を省略する。
【００４４】
第二変形例のガラスパネルユニットにおいては、第一変形例と同様に、ゲッター６が枠状領域８１０の全周に亘って配置されるのではなく、枠状領域８１０のなかでも第一領域８１１においてのみ、配置されている。
【００４５】
第二変形例では、第一領域８１１と第二領域８１２を区分する境界線Ｌ１が、建具が施工された状態において、第一変形例の場合よりも下方に位置する。境界線Ｌ１は、建具が施工された状態において、第二変形例のガラスパネルユニットの下端縁から所定距離Ｄだけ上方に位置する。
【００４６】
そのため、第二変形例のゲッター６は、ガラスパネルユニットの一辺（施工された状態の下端縁）に沿った直線状の形状を有する。言い換えると、第二変形例のゲッター６は、第一変形例の第一直線部６１で構成されている。
【００４７】
第二変形例の建具においても、シール部４とゲッター６は、ともに建具枠９に覆われて視認されにくく構成されている。
【００４８】
また、第二変形例の建具においても、施工後にゲッター６の一部分が脱落した場合には、その脱落部分が建具枠９に隠されるため視認されにくい。
【００４９】
次に、一実施形態の第三変形例のガラスパネルユニットと、これを備える建具について、図８〜図１０に基づいて説明する。
【００５０】
第三変形例のガラスパネルユニットは、第二ガラスパネル２にさらに第三ガラスパネル３が重なり、第三ガラスパネル３と第二ガラスパネル２の間に、第二の内部空間８２が形成された構造である（図８、図９参照）。
【００５１】
第三変形例のガラスパネルユニットは、第三ガラスパネル３と第二ガラスパネル２の互いの周縁部の間に介在する中空の枠部材３４と、枠部材３４の中空部分に充填される乾燥剤３６と、枠部材３４の外側を覆うように枠状に形成された第二シール部３８を備える。第二の内部空間８２は、枠部材３４と第二シール部３８に囲まれて位置する。
【００５２】
枠部材３４はアルミニウム等の金属で形成され、貫通孔３４１を内周側に有する。枠部材３４の中空部分は、貫通孔３４１を介して第二の内部空間８２に連通する。乾燥剤３６は、たとえばシリカゲルである。第二シール部３８は、たとえばシリコン樹脂、ブチルゴム等の高気密性の樹脂で形成される。
【００５３】
第三ガラスパネル３と第二ガラスパネル２の間において、枠部材３４と第二シール部３８に囲まれる第二の内部空間８２は、外部から密閉された空間である。第二の内部空間８２には、乾燥ガス（アルゴン等の乾燥した希ガス、乾燥空気等）が充填される。
【００５４】
第三変形例のガラスパネルユニットは、厚み方向の両側に位置する第三ガラスパネル３と第一ガラスパネル１の間に、真空に至るまで減圧された内部空間８１と、乾燥ガスが充填された第二の内部空間８２が介在することで、高い断熱性を有する。
【００５５】
第三変形例の建具においても、シール部４とゲッター６は、ともに建具枠９に覆われて視認されにくく構成されている。
【００５６】
なお、第三変形例のガラスパネルユニットにおいて、第一変形例の略Ｕ字状のゲッター６を備えることも可能であり、第二変形例の一直線状のゲッター６を備えることも可能である。この場合、施工後にゲッター６の一部分が脱落した場合でも、その脱落部分が建具枠９に隠されて視認されにくい。
【００５７】
上述した実施形態及び変形例から明らかなように、第１の形態のガラスパネルユニットは、第一ガラスパネル（１）と、第二ガラスパネル（２）と、枠状のシール部（４）と、気体吸着用のゲッター（６）を備える。
【００５８】
第二ガラスパネル（２）は、第一ガラスパネル（１）に対向して位置する。シール部（４）は、第一ガラスパネル（１）と第二ガラスパネル（２）の間に減圧状態で密閉された内部空間（８１）を形成するように、第一ガラスパネル（１）と第二ガラスパネル（２）の互いの周縁部を気密に接合する。
【００５９】
ゲッター（６）は、内部空間（８１）に配置される。ゲッター（６）は、第１の形態のガラスパネルユニットに建具枠（９）が装着されたときに該建具枠（９）によって覆われるように、内部空間（８１）のうちシール部（４）に沿った枠状領域（８１０）に配置される。枠状領域（８１０）は、一実施形態のガラスパネルユニットの周縁からの距離が所定距離（Ｄ）以内の領域である。
【００６０】
したがって、第１の形態のガラスパネルユニットによれば、枠状領域（８１０）に配置されたゲッター（６）により、長期間にわたって内部空間（８１）の真空度を保つことができ、建具枠（９）を装着したときにはゲッター（６）が建具枠９で覆われるため、ゲッター（６）が外部から視認されにくい。
【００６１】
第２の形態のガラスパネルユニットでは、第１の形態において、ゲッター（６）は、枠状領域（８１０）の全周に亘って配置されている。
【００６２】
したがって、第２の形態のガラスパネルユニットによれば、枠状領域（８１０）の全周に亘って配置されたゲッター（６）により、長期間にわたって内部空間（８１）の真空度を保つことができる。
【００６３】
第３の形態のガラスパネルユニットでは、第１の形態において、枠状領域（８１０）は、枠状領域（８１０）のうち所定方向の一側の部分を構成する第一領域（８１１）と、枠状領域（８１０）のうち前記所定方向の他側の部分を構成する第二領域（８１２）を含み、ゲッター（６）は第一領域（８１１）に配置されている。
【００６４】
したがって、第３の形態のガラスパネルユニットを、第一領域（８１１）が第二領域（８１２）の下方に位置するように施工すれば、外部からの衝撃等でゲッター（６）の一部分が脱落した場合でも、その脱落した部分が外部から視認されにくくなる。
【００６５】
第４の形態のガラスパネルユニットでは、第１〜第３のいずれか一つの形態において、第三ガラスパネル（３）と、第二の内部空間（５０２）をさらに備える。
【００６６】
第三ガラスパネル（３）は、第一ガラスパネル（１）と第二ガラスパネル（２）の一方に対して、枠状の第二シール部（３８）を介して気密に接合される。第二の内部空間（５０２）は、第二シール部（３８）によって囲まれ、乾燥ガスが封入される。
【００６７】
したがって、第４の形態のガラスパネルユニットによれば、断熱性の内部空間（８１）と第二の内部空間（８２）を備えるため、さらに高い断熱性を有する。
【００６８】
また、上述した実施形態及び変形例から明らかなように、第１の形態の建具は、第１〜第４のいずれか一つの形態のガラスパネルユニットと、このガラスパネルユニットの周縁部に嵌め込まれた建具枠（９）を備える。建具枠（９）によって、ゲッター（６）が覆われている。
【００６９】
したがって、第１の形態の建具によれば、建具枠（９）に覆われて外部から視認されにくい状態で配置されたゲッター（６）により、長期間にわたって内部空間（８１）の真空度を保つことができる。
【００７０】
第２の形態の建具は、第３の形態のガラスパネルユニットと、このガラスパネルユニットの周縁部に嵌め込まれた建具枠（９）を備える。第２の形態の建具が施工された状態において、前記所定方向は上下方向であり、第一領域（８１１）は、第二領域（８１２）の下方に位置する。建具枠（９）によって、第一領域（８１１）に位置するゲッター（６）が覆われている。
【００７１】
したがって、第２の形態の建具によれば、建具枠（９）に覆われて外部から視認されにくい状態で配置されたゲッター（６）により、長期間にわたって内部空間（８１）の真空度を保つことができる。加えて、外部からの衝撃等でゲッター（６）の一部分が脱落した場合でも、その脱落した部分が外部から視認されにくい。
【００７２】
第３の形態の建具は、第２の形態の建具において、ゲッター（６）は、少なくとも直線部（６１）で構成されている。直線部（６１）は、施工された状態において、第３の形態のガラスパネルユニットの下端縁に沿って位置する直線状のゲッターである。
【００７３】
したがって、第３の形態の建具によれば、外部からの衝撃等でゲッター（６）の一部分が脱落した場合でも、その脱落した部分が外部から視認されにくい。
【００７４】
第４の形態の建具は、第２または第３の形態の建具において、第３の形態のガラスパネルユニットは、第一ガラスパネル（１）と第二ガラスパネル（２）の一方に対して、枠状の第二シール部（３８）を介して気密に接合される第三ガラスパネル（３）と、第二シール部（３８）によって囲まれ、乾燥ガスが封入される第二の内部空間（８２）をさらに備える。
【００７５】
したがって、第４の形態の建具によれば、断熱性の内部空間（８１）と第二の内部空間（８２）を備えるため、さらに高い断熱性を有する。
【００７６】
以上、実施形態について説明したが、ガラスパネルユニット及びこれを備える建具は、前記した実施形態に限定されず、適宜の設計変更を行うことや、公知の技術を組み合わせることが可能である。
【符号の説明】
【００７７】
１  第一ガラスパネル
２  第二ガラスパネル
３  第三ガラスパネル
４  シール部
６  ゲッター
９  建具枠
３８  第二シール部
８１  内部空間
８１０  枠状領域
８１１  第一領域
８１２  第二領域
８２  第二の内部空間
Ｄ  所定距離
【図１】
2017169677.tif 000003
【図２】
2017169677.tif 000004
【図３】
2017169677.tif 000005
【図４】
2017169677.tif 000006
【図５】
2017169677.tif 000007
【図６】
2017169677.tif 000008
【図７】
2017169677.tif 000009
【図８】
2017169677.tif 000010
【図９】
2017169677.tif 000011
【図１０】
2017169677.tif 000012
【国際調査報告】
2017169677.tif 000013
2017169677.tif 000014